(57)【要約】【課題】フィルタに溜まった埃により、空気の流れが悪くなることで発熱体の温度が上がって性能が落ちることや、電気部品の破損や発煙発火の危険を事前に回避すること。【解決手段】本実施形態に係るフィルタ清掃装置は、ファン１の回転により吸気口から外気を取り込んで筐体内の発熱体３を冷却する装置に設けられ、吸気口に取り付けられるフィルタ４を清掃する装置であって、発熱体３近傍の温度を取得する温度センサ５と、フィルタ４の吸気面に粘着シート６０を押圧した状態でローラ７０を移動させることによりフィルタ４に付着した不要物を除去する除去手段と、不要物を粘着させた粘着シート６０を巻き取り粘着シート収納ケース６２に収納する収納手段と、上記温度が所定条件を満たさない場合に、上記除去手段及び上記収納手段を駆動する制御手段を具備する。【選択図】      図２
2014059069.tif 000002
【特許請求の範囲】
【請求項１】
ファンの回転により吸気口から外気を取り込んで筐体内の発熱体を冷却する装置に設けられ、前記吸気口に取り付けられるフィルタを清掃する装置であって、
前記発熱体近傍の温度を取得する取得手段と、
前記フィルタの吸気面に粘着シートを押圧した状態でローラを移動させることにより前記フィルタに付着した不要物を除去する除去手段と、
前記不要物を粘着させた粘着シートを巻き取り収納する収納手段と、
前記温度が所定条件を満たさない場合に、前記除去手段及び前記収納手段を駆動する制御手段と
を具備することを特徴とするフィルタ清掃装置。
【請求項２】
ファンの回転により吸気口から外気を取り込んで筐体内の発熱体を冷却する装置に設けられ、前記吸気口に取り付けられるフィルタを清掃する装置であって、
前記発熱体近傍の空気の流量を取得する取得手段と、
前記フィルタの吸気面に粘着シートを押圧した状態でローラを移動させることにより前記フィルタに付着した不要物を除去する除去手段と、
前記不要物を粘着させた粘着シートを巻き取り収納する収納手段と、
前記流量が所定条件を満たさない場合に、前記除去手段及び前記収納手段を駆動する制御手段と
を具備することを特徴とするフィルタ清掃装置。
【請求項３】
前記制御手段は、前記除去手段の動作終了後、一定時間内に前記温度又は流量が前記基準範囲になるか否かを判定し、
前記温度又は流量が前記所定条件を満たさない場合に、前記ファンの故障を通知する通知手段をさらに具備することを特徴とする請求項１又は２に記載のフィルタ清掃装置。
【請求項４】
前記ローラと共に移動し、前記粘着シートが前記フィルタの吸気面に押圧される前に前記フィルタの吸気面から前記不要物を掻き出す手段をさらに具備することを特徴とする請求項１又は２に記載のフィルタ清掃装置。
【発明の詳細な説明】
【技術分野】
【０００１】
本発明の実施形態は、空冷式の冷却装置等に用いられるフィルタ清掃装置に関する。
【背景技術】
【０００２】
ＣＴ装置の架台やコンソール等の筐体内部には、ＩＣデバイス等の発熱体を載せた基板が実装されており、一般にファンで筐体内の空気を流すことによって発熱体を冷却している。また、筐体内部に塵や埃などが侵入することを防ぐために、吸気口にはフィルタが配置される。しかし、このフィルタが目詰まりを起こすと、筐体内の空気が流れにくくなり冷却効果が失われ、筐体内部の温度が上昇してしまう。そこで、従来は、保守作業員が定期点検時などにフィルタを取り外し、フィルタに付着した塵や埃等を清掃していた。
【発明の概要】
【発明が解決しようとする課題】
【０００３】
上述したように、従来は、保守作業員が定期点検時などにフィルタを清掃するため、半年や一年もフィルタを清掃しないことがあった。長期間フィルタの清掃をしないとフィルタに埃が溜まってしまい、風が流れにくくなるため電気部品などの発熱体の冷却ができず、装置の性能が出なくなるばかりでなく、電気部品が壊れたり、発熱、発火などの重大な事故を起こす原因ともなっていた。また、筐体は床に置かれる場合が多く、特にフィルタの吸気面が床面に近い場合にはフィルタが取り外しにくく、フィルタの清掃作業が面倒であった。
【０００４】
本実施形態の目的は、フィルタに溜まった埃により、空気の流れが悪くなることで発熱体の温度が上がって性能が落ちることや、電気部品の破損や発煙発火の危険を事前に回避することができるフィルタ清掃装置を提供することにある。
【課題を解決するための手段】
【０００５】
本実施形態に係るフィルタ清掃装置の第１の態様は、ファンの回転により吸気口から外気を取り込んで筐体内の発熱体を冷却する装置に設けられ、前記吸気口に取り付けられるフィルタを清掃する装置であって、前記発熱体近傍の温度を取得する取得手段と、前記フィルタの吸気面に粘着シートを押圧した状態でローラを移動させることにより前記フィルタに付着した不要物を除去する除去手段と、前記不要物を粘着させた粘着シートを巻き取り収納する収納手段と、前記温度が所定条件を満たさない場合に、前記除去手段及び前記収納手段を駆動する制御手段とを具備するものである。
【０００６】
また、本実施形態に係るフィルタ清掃装置の第２の態様は、ファンの回転により吸気口から外気を取り込んで筐体内の発熱体を冷却する装置に設けられ、前記吸気口に取り付けられるフィルタを清掃する装置であって、前記発熱体近傍の空気の流量を取得する取得手段と、前記フィルタの吸気面に粘着シートを押圧した状態でローラを移動させることにより前記フィルタに付着した不要物を除去する除去手段と、前記不要物を粘着させた粘着シートを巻き取り収納する収納手段と、前記流量が所定条件を満たさない場合に、前記除去手段及び前記収納手段を駆動する制御手段とを具備するものである。
【図面の簡単な説明】
【０００７】
【図１】本実施形態に係るフィルタ清掃装置の構造を示す図。
【図２】図１のフィルタ清掃装置の清掃状態を示す図。
【図３】図１のフィルタ清掃装置の機能ブロック図。
【図４】図２の制御回路の動作を示すフローチャート。
【図５】変形例２の回転ブラシ構造を示す図。
【発明を実施するための形態】
【０００８】
以下、図面を参照しながら本実施形態に係るフィルタ清掃装置を説明する。
【０００９】
図１は、本実施形態に係るフィルタ清掃装置の構造（通常使用状態）を示す図である。図１に示すように、ＩＣデバイス等の発熱体３を載せた基板２が筐体内に実装されており、ファン１で筐体内の空気を吸引することにより下方から上方に空気を流すことによって発熱体３を冷却する。発熱体３の近傍には温度センサ５が設けられ、筐体内の温度を常時測定している。筐体下部のフィルタ４の吸気面に埃や塵などの不要物が付着すると空気の流れが悪くなり、筐体内の温度が上昇する。
【００１０】
ここで、フィルタ清掃機構について説明する。図２は、このフィルタ清掃装置の清掃状態を示す図である。図１，２に示すように、押し付けローラ駆動モータ７１は、カップリングで左右ネジを切ったリードスクリュー（押し付けローラ駆動軸）７２と連結されており、リードスクリュー７２にはそれぞれ右ねじの部分と左ねじの部分にナット部が設けられている。このナット部には、押し付けローラ駆動アーム７３が取り付けられており、押し付けローラ駆動モータ７１が回転すると、図２に示すように押し付けローラ７０が移動する。
【００１１】
押し付けローラ７０は移動する際、筐体に取り付けられたガイドレール７４によって粘着シート６０をフィルタ４に押し付けた状態で粘着シート６０を引っ張りだしながら移動する。この際、フィルタ４の吸気面に付着した塵埃は粘着シート６０に粘着される。粘着シート巻き取りモータ６１が回転することで、塵埃を粘着させた状態の粘着シート６０が収納ケース６２に収納される。
【００１２】
次に、フィルタ清掃動作について説明する。図３は、このフィルタ清掃装置の機能構成を示すブロック図である。図４は、制御回路８の全体動作を示すフローチャートである。
【００１３】
温度センサ５で測定された温度データは、制御回路８に送られる。図４において、制御回路８は、温度センサ５から温度データを取得すると（ステップＳ１）、この温度データと、制御回路８内に予め設けられた閾値データとを比較し、温度データが閾値以下か否かを判定する（ステップＳ２）。ステップＳ２で温度データが閾値以下と判定された場合は空冷が適正に行われているものと判断し、ステップＳ１に移行する。ステップＳ２で温度データが閾値を超えていると判定された場合は、フィルタ４の目詰まりにより空冷が適正に行われていないものと判断し、以下のフィルタ清掃動作を実行する（ステップＳ３）。
【００１４】
先ず、制御回路８は、押し付けローラ駆動モータ７１を駆動するようドライバ回路７５に指示を出力する。押し付けローラ７０のナット部には、押し付けローラ７０の移動位置をセンシングする位置センサ７６が設けられ、位置センサ７６で測定された位置データは、制御回路８に送られる。制御回路８は、位置データにより押し付けローラ駆動アーム７３が伸びきった状態を検出すると、押し付けローラ駆動モータ７１の回転を停止する。その後、制御回路８は、粘着シート巻き取りモータ６１を回転させることで、埃を粘着させた状態の粘着シート６０を巻き取り、粘着シート収納ケース６２に収納する。これらのフィルタ清掃動作により、フィルタ４に付着した埃を自動で取り除くことができる。
【００１５】
ステップＳ３のフィルタ清掃動作の終了後、一定時間経過したときに（ステップＳ４）、制御回路８は、再度温度センサ５から温度データを取得し（ステップＳ５）、温度データが閾値以下になったかどうか判定する（ステップＳ６）。ステップＳ６の判定で、温度データが閾値以下と判定された場合は、空冷が適正に行われているものと判断し、ステップＳ１に移行し、上記処理を繰り返す。
【００１６】
一方、ステップＳ６の判定で、温度データが閾値以下とならない場合には、フィルタ清掃により不要物を除去しても筐体内部の温度が下がらないと判断し、制御回路８は、アラーム音やランプ点灯によりファン１に異常が発生していることを通知する（ステップＳ７）。
【００１７】
（変形例１）  
上記実施形態では、温度センサ５によりフィルタ４の目詰まりが起きているかを判断したが、温度センサ５のかわりに、筐体内に流量計を設置するようにしてもよい。この場合、発熱体３の近傍の空気の流量を流量計により計測し、計測された流量が予め設けられた閾値より小さい場合に、フィルタ４の目詰まりが起きているものと判断し、フィルタ清掃動作を実施する。
【００１８】
（変形例２）  
図５は、変形例２の回転ブラシ構造を示したものである。回転ブラシ７７は、押し付けローラ７０と共に移動し、粘着シート６０がフィルタ４の吸気面に押圧される前にフィルタ４の吸気面から埃等を掻き出すように、押し付けローラ駆動アーム７３に取り付けられる。このように粘着シート６０をフィルタ４に押し付ける前に回転ブラシ７７でフィルタ４の不要物を掻き出すように構成することで、不要物を良好に取り除くことが可能となる。
【００１９】
以上述べたように、上記実施形態では、発熱体の近傍に温度センサや、流量計を設置し、温度や流量を監視することにより、フィルタに埃が溜まり温度や流量がある決められた条件になると、押し付けローラを駆動するモータが回転し、粘着シートがフィルタに溜まった埃を粘着させる。次に粘着シート巻取りモータが駆動し、埃を粘着させたシートを巻きあげ、収納ケースに収納する。これらを自動で行うため、発熱体の温度が上昇することなく、常に正常に運用することができるようになる。
【００２０】
したがって、上記実施形態によれば、フィルタに溜まった埃により、空気の流れが悪くなることで発熱体の温度が上がって性能が落ちることや、電気部品の破損や発煙発火の危険を事前に回避することが可能となる。また、フィルタ清掃が自動的に行われるため、保守作業員の作業量を低減することができる。さらに、フィルタ清掃を行っても、温度上昇が改善されない場合には、アラーム音やランプ点灯により異常が通知されるため、ファンの異常などにも保守作業員が素早く対応することができる。
【００２１】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１…ファン、２…基板、３…発熱体、４…フィルタ、５…温度センサ、６０…粘着シート、６１…粘着シート巻き取りモータ、６２…粘着シート収納ケース、６３…ドライバ回路、７０…押し付けローラ、７１…押し付けローラ駆動モータ、７２…押し付けローラ駆動軸（リードスクリュー）、７３…押し付けローラ駆動アーム、７４…ガイドレール、７５…ドライバ回路、７６…位置センサ、７７…回転ブラシ。
【図１】
2014059069.tif 000003
【図２】
2014059069.tif 000004
【図３】
2014059069.tif 000005
【図４】
2014059069.tif 000006
【図５】
2014059069.tif 000007